(57)【要約】検査システムはチッピングペーパーが適用された後の組み立てられた紙巻きたばこの内部及び端部フィルター要素の両方の存在または不存在を検出する。輸送装置は組み立てられた紙巻きたばこを高速移動経路に沿って動かし、第一検査ステーションは内部フィルター要素の領域内の各紙巻きたばこを通して横断方向検出ビームを向ける。第二検査ステーションは紙巻きたばこの縦軸に実質的に平行な経路に沿って端部フィルター要素に向けて縦方向検出ビームを向ける。制御回路がもし予め第一検査ステーションが内部フィルター要素の存在を検出できれば第二検査ステーションが端部フィルター要素の存在を検出するときに組み立てられた紙巻きたばこを高速移動経路に沿って移動し続けさせ、もし第一検査ステーションが内部フィルター要素の存在を検出できないなら第二検査が中断され、欠陥紙巻きたばこが高速移動経路から除去される。【選択図】図３
2004524013.tif 000002
【特許請求の範囲】
【請求項１】
チッピングペーパーが適用された後の組み立てられた紙巻きたばこの内部及び端部フィルター要素の両方の存在または不存在を検出するための検査システムであって、この検査システムが組み立てられた紙巻きたばこを高速移動経路に沿って移動させるための輸送装置、横断方向検出ビームを各紙巻きたばこを通して内部フィルター要素の領域内に向けるように構成されかつ配置された第一検査ステーション、紙巻きたばこの縦軸に実質的に平行な経路に沿って縦方向検出ビームを端部フィルター要素に向けるように構成されかつ配置された第二検査ステーション、及びもし予め第一検査ステーションが内部フィルター要素の存在を検出できれば第二検査ステーションが端部フィルター要素の存在を検出するとき組み立てられた紙巻きたばこを高速移動経路に沿って移動し続けさせ、もし第一検査ステーションが内部フィルター要素の存在を検出できないなら第二検査が中断され、欠陥紙巻きたばこが高速移動経路から除去される制御手段を含むことを特徴とする検査システム。
【請求項２】
第一検査ステーションが高速移動経路の対向側に赤外線発射器と赤外線受光器を含むことを特徴とする請求項１に記載の検査システム。
【請求項３】
第二検査ステーションが光センサを含むことを特徴とする請求項１に記載の検査システム。
【請求項４】
輸送装置が外側に紙巻きたばこ受け入れ溝を持つ回転ドラムを含むことを特徴とする請求項１に記載の検査システム。
【発明の詳細な説明】
【０００１】
発明の背景
本発明は検査システムに関し、特にチッピングペーパーが適用された後に内部及び端部フィルター要素の存在または不存在を主として検出するための紙巻きたばこの検査システムに関する。
【０００２】
今日の紙巻きたばこ製造機において、紙巻きたばこフィルターの欠落及び組み合わせフィルターまたは多要素フィルターを必要とする紙巻きたばこのフィルター部分の欠落を検査する検査装置が提案されている。これらの検査システムは大抵チッピングペーパーの適用前のフィルター部分に対し検査するか又は完全に組み立てられた紙巻きたばこの露出された目に見えるフィルター端のみを検査するかのいずれかである。しかし、いったんチッピングペーパーが適用されると、内部フィルター要素はたばこ棒と外部フィルター要素との間に挟まれ、これらの内部フィルター要素は見ることができない。
【０００３】
チッピングペーパーが適用された後の内部フィルター要素の存在または不存在を検査することは内部フィルター要素が事実その適切な場所にあることの１００％の信頼性を達成する唯一の方法である。フィルター検査工程の早期の検査センサはかかる信頼性を与えない。なぜなら内部フィルター要素の欠落はチッピングペーパーを適用する工程中に起こるかもしれないからである。従って、チッピングペーパーにより取り巻かれた後に内部フィルター要素を検査することは欠落要素を有する紙巻きたばこが紙巻きたばこ製作機の下流に送られないことの１００％の信頼性を保証する唯一の方法である。
【０００４】
発明の概要
従って、本発明の目的の一つはチッピングペーパーが適用された後の内部フィルター要素の存在または不存在を主として検査する検査システムである。
【０００５】
本発明の別の目的は操作が簡単であるが紙巻きたばこの製造時の紙巻きたばこの非常に高速な流れから欠陥のある紙巻きたばこを除去するのに高度に有効で信頼性のある検査システムである。
【０００６】
本発明の別の目的は完全に組み立てられた紙巻きたばこについて内部フィルター要素の存在または不存在をチッピングペーパーを通して検査する赤外線センサを用いる紙巻きたばこ検査システムである。
【０００７】
本発明のなお別の目的は目に見える端部フィルター要素並びに内部フィルター要素の存在または不存在を検査する検査システムである。
【０００８】
図面の簡略説明
上述のものに加えて本発明の新規な特徴及び利点は添付図面に関しての以下の詳細な説明を読めば容易に明らかとなるであろう。以下において同様の参照符号は同様な部品に関連する。図面において：
図１は本発明による紙巻きたばこ輸送ドラム及び欠落フィルター要素を検出するための検査システムの透視図であり、そして
図２は本発明による図１に示された検査システムのための電子制御装置を示す概略図である。
【０００９】
発明の詳細説明
特に図面を参照するに、図１はチッピングペーパー１４が適用された後の組み立てられた紙巻きたばこ１２の内部及び端部フィルター要素の両方の存在または不存在を検出するための検査システム１０を示す。例示の目的のために、紙巻きたばこ１２のフィルター要素は内部木炭要素１６と酢酸セルロースの端部要素１８を含むものとして示されている。しかし、他のフィルター配置が検査システム１０で試験されることができ、そこではかかるフィルターは内部と端部要素の両方を含む。
【００１０】
組み立てられた紙巻きたばこ１２は迅速に回転する輸送ドラム２０の外部表面を含む高速経路に沿って移動する。ドラムの外部表面は複数の密接に間隔を置いた溝２２を含み、紙巻きたばこはこれらの溝内に載る。穴２４を通して適用される吸引が周知のように溝内に紙巻きたばこを保持する。
【００１１】
図１と２に示されるように、検査システム１０は組み立てられた紙巻きたばこ１２の高速移動経路の対向側の赤外線発射器２８と赤外線受光器３０を含む第一検査ステーション２６を含む。発射器２８は横断方向検出ビーム３２を各紙巻きたばこを通して内部木炭フィルター要素１６の領域内に向け、そのフィルター要素の存在または不存在を検出する。取り付け部３４と旋回可能な連結部３６は発射器２８を所定場所に調整可能に固定する機能をし、同様な取り付け板３８と旋回可能な連結部３０は受光器３０を所定場所に調整可能に固定する機能をする。
【００１２】
第二検査ステーション４２は第一検査ステーション２８からわずかに下流に配置される。第二検査ステーション４２は検査される組み立てられた紙巻きたばこの縦軸に実質的に平行な経路に沿って縦方向検出ビーム４６を端部フィルター要素１８に向ける光センサ４４を含む。
【００１３】
制御装置５０は第一と第二検査ステーションを操作し、少なくとも一つのフィルター要素の不存在が検出されたとき高速移動経路から欠陥紙巻きたばこを除去するのに用いられる。例示の実施例では、制御装置５０は信号状態調節器５２、最大電流制御器５４及び正確データ収集器５６を集合的に含む。制御装置５０は、もし予めわずかに上流に設けられた第一検査ステーション２６が内部フィルター要素１６の存在を検出できれば第二検査ステーションの光センサ４４が端部フィルター要素１８の存在を検出するとき組み立てられた紙巻きたばこ１２の高速移動経路に沿っての移動を続けさせる。もし検出できない条件下では、端部フィルター要素の第二検査が中断され、欠陥紙巻きたばこは高速移動経路から除去される。
【００１４】
基本的に、もし光センサ４４が端部フィルター要素１８の存在を検出すると、完成した紙巻きたばこを輸送ドラム内に維持し、かつ紙巻きたばこを高速移動経路内に残すことを最終的に可能とする信号が発生される。他方、もし光センサ４４が端部フィルター要素１８を検出しないなら、紙巻きたばこを輸送ドラムから除去することを最終的に導く信号が発生される。第一と第二検査ステーションは互いに独立して作動し、第一検査ステーション２６が組み立てられた紙巻きたばこ１２が内部木炭フィルター要素を持たないことを決定するときを待ち受ける。紙巻きたばこ１２が内部木炭フィルター要素を持たない条件下では、制御装置５０は光センサ４４からの信号を中断し、その信号はそうでなければ紙巻きたばこをその高速移動経路に残すことを可能とするであろう。制御装置５０が光センサからの信号を受けることができないとき、欠陥紙巻きたばこは排除される。
【００１５】
第一検査ステーションが紙巻きたばこを排除する制御装置と直接インターフェースする信号を発生しないことは重要である。その代わり、第一検査ステーションは第二検査ステーション４２の光センサ４４からの信号を中断することにより間接的に欠陥紙巻きたばこの排除を起こす。この特別の手法は制御装置５０に対する再プログラミングまたは変更の量が顕著に最少化されるという利点を持つ。さらに、この手法は第一検査ステーションがほんの略４度上流にかつ光センサ４４から離れて配置されることを可能とする。第一検査ステーションが欠陥紙巻きたばこが排除される輸送ドラム２０上の点に密接して配置されると、欠陥紙巻きたばこを感知し、下流に輸送される前にその紙巻きたばこを排除するに十分な時間はないであろう。別の利点はこの手法が第一検査ステーションからの適切な信号に応答して輸送ドラムの紙巻きたばこ排除システムを起動する別個の制御装置に対する要求を排除することである。
【図面の簡単な説明】
【図１】
本発明による紙巻きたばこ輸送ドラム及び欠落フィルター要素を検出するための検査システムの透視図である。
【図２】
本発明による図１に示された検査システムのための電子制御装置を示す概略図である。
【図３】
本発明による図２に示された検査システムのための電子制御装置を示す概略図である。
【図１】
2004524013.tif 000003
【図２】
2004524013.tif 000004
【図３】
2004524013.tif 000005
【国際公開パンフレット】
2004524013.tif 000006
2004524013.tif 000007
2004524013.tif 000008
2004524013.tif 000009
2004524013.tif 000010
2004524013.tif 000011
2004524013.tif 000012
2004524013.tif 000013
2004524013.tif 000014
2004524013.tif 000015
【国際公開パンフレット（コレクトバージョン）】
2004524013.tif 000016
2004524013.tif 000017
【国際調査報告】
2004524013.tif 000018
2004524013.tif 000019